(57)【要約】      （修正有）【課題】いずれの向きに設置しても、２つの画面にそれぞれ適切な画像を自動的に表示する両面表示装置を提供する。【解決手段】両面表示装置１は、第１の表示部２ａおよび第２の表示部２ｂを両面に備えた両面表示装置であって、両面表示装置の状態を検知するセンサ部８と、センサ部８の検知結果に基づき、第１の表示部２ａおよび第２の表示部２ｂに表示する表示データを決定する制御部を備えた。【選択図】図１
2014142399.tif 000002
【特許請求の範囲】
【請求項１】
第１の表示部および第２の表示部を両面に備えた両面表示装置であって、
前記両面表示装置の状態を検知するセンサ部と、
前記センサ部の検知結果に基づき、前記第１の表示部および前記第２の表示部に表示する表示データを決定する制御部を備えたこと
を特徴とする両面表示装置。
【請求項２】
前記センサ部は、物体の存在を検知する複数のセンサを有し、
前記制御部は、前記複数のセンサの検出順序に基づき、前記表示データを決定すること
を特徴とする前記請求項１に記載の両面表示装置。
【請求項３】
前記両面表示装置は、地理情報を取得する地理データ取得部を備え、
前記センサ部は、位置情報検出手段および方向情報検出手段を有し、
前記制御部は、前記位置情報検出手段および前記方向情報検出手段の検出結果ならびに前記地理情報に基づき、前記表示データを決定すること
を特徴とする前記請求項１に記載の両面表示装置。
【請求項４】
第１の表示部および第２の表示部を両面に備えた両面表示装置の表示方法であって、
前記両面表示装置の状態を検知する状態検知工程と、
前記状態検知工程の出力に基づき、前記第１の表示部および前記第２の表示部に表示する表示データを決定する工程を備えたこと
を特徴とする両面表示装置の表示方法。
【請求項５】
第１の表示部および第２の表示部を両面に備えた両面表示装置の表示プログラムであって、
前記両面表示装置の状態を検知する状態検知工程と、
前記状態検知工程の出力に基づき、前記第１の表示部および前記第２の表示部に表示する表示データを決定する工程を備えたこと
を特徴とする両面表示装置の表示プログラム。
【発明の詳細な説明】
【技術分野】
【０００１】
本発明は、装置の正面および背面に画像を表示する両面表示装置に関する。また、両面表示装置の表示方法および表示プログラムに関する。
【背景技術】
【０００２】
従来から、デパートなどの店舗、駅の構内およびプラットフォームなどに設置され、情報を適時に知らせるためのスタンド方式の表示装置が知られている。これらの多くは、一方側から観察する構造のものであるが、表示する場所や用途によっては、反対側からも観察できるような表示装置の設置が望まれている。
【０００３】
例えば特許文献１には、装置の正面および背面に画像を表示するように構成された両面表示装置が開示されている。
【０００４】
図１６は、特許文献１に記載の従来の屋外用両面表示装置２０１を示した図である。図１６（ａ）は斜視図であり、図１６（ｂ）は分解斜視図である。
【０００５】
図１６（ａ）によれば、屋外用両面表示装置２０１は、外部がカバー構造で覆われており、側部カバー２１２、透明保護板２１３及び上部カバー２１４を備えている。また、下部にはベース２０２を備えている。
【０００６】
図１６（ｂ）によれば、屋外用両面表示装置２０１のフレームは、ベース２０２、側部フレーム２０３及び上部フレーム２０４を備えて構成されている。側部フレーム２０３は、断面コ字型の金属フレーム材からなり、ベース２０２の左右両側に垂直に立設される。左右の側部フレーム２０３間には、液晶パネルからなる二枚の表示パネル２０８が取付金具２０８ａを介して取り付けられる。一方の表示パネル２０８は、装置正面に画像を表示する正面表示パネルであり、他方の表示パネル２０８は、装置背面に画像を表示する背面表示パネルである。
【先行技術文献】
【特許文献】
【０００７】
【特許文献１】特開２０１０−１０２２２７号公報
【発明の概要】
【発明が解決しようとする課題】
【０００８】
このような両面表示装置を用いれば、２つの表示パネルそれぞれの表示方向に応じて異なる画像を表示させることにより、より効果的な情報表示が可能である。例えば、店舗の入り口付近に両面表示装置を置く場合、来店する客が見る側の表示パネルには、本日の特価品情報を表示し、退店する客が見る側の表示パネルには、次回特売日の情報を表示することが考えられる。
【０００９】
しかしながら、このような両面表示装置は、正面および背面の外見が類似しており、向きを間違えて設置してしまう場合がある、という問題があった。
【００１０】
本発明は上記の問題点に鑑みてなされたものであり、いずれの向きに設置しても、２つの画面にそれぞれ適切な画像を自動的に表示する両面表示装置を提供することを目的とする。
【課題を解決するための手段】
【００１１】
上記の課題を解決するために、本発明の一態様によれば、本発明にかかる両面表示装置は、第１の表示部および第２の表示部を両面に備えた両面表示装置であって、両面表示装置の状態を検知するセンサ部と、センサ部の検知結果に基づき、第１の表示部および第２の表示部に表示する表示データを決定する制御部を備えたことを特徴とする。
【００１２】
本発明の別の一態様によれば、センサ部は、物体の存在を検知する複数のセンサを有し、制御部は、複数のセンサの検出順序に基づき、表示データを決定することを特徴としても良い。
【００１３】
本発明の別の一態様によれば、本発明にかかる両面表示装置は、地理情報を取得する地理データ取得部を備え、センサ部は、位置情報検出手段および方向情報検出手段を有し、制御部は、位置情報検出手段および方向情報検出手段の検出結果ならびに地理情報に基づき、表示データを決定することを特徴としても良い。
【００１４】
本発明の別の一態様によれば、本発明にかかる両面表示装置の表示方法は、第１の表示部および第２の表示部を両面に備えた両面表示装置の表示方法であって、両面表示装置の状態を検知する状態検知工程と、状態検知工程の出力に基づき、第１の表示部および第２の表示部に表示する表示データを決定する工程を備えたことを特徴とする。
【００１５】
本発明の別の一態様によれば、本発明にかかる両面表示装置の表示プログラムは、第１の表示部および第２の表示部を両面に備えた両面表示装置の表示プログラムであって、両面表示装置の状態を検知する状態検知工程と、状態検知工程の出力に基づき、第１の表示部および第２の表示部に表示する表示データを決定する工程を備えたことを特徴とする。
【発明の効果】
【００１６】
本発明の両面表示装置によれば、いずれの向きに設置しても、２つの画面にそれぞれ適切な画像を表示することができる。
【図面の簡単な説明】
【００１７】
【図１】実施形態１にかかる両面表示装置の斜視図である。
【図２】実施形態１にかかる両面表示装置の上面図である。
【図３】実施形態１にかかる両面表示装置を店舗の前に設置した例を示した上面図である。
【図４】実施形態１にかかる両面表示装置を店舗の前に設置した別の例を示した上面図である。
【図５】実施形態１にかかる両面表示装置の機能ブロック図である。
【図６】方向検出部における処理のフローチャートを示した図である。
【図７】制御部における処理のフローチャートを示した図である。
【図８】実施形態２にかかる両面表示装置の上面図である。
【図９】実施形態２にかかる両面表示装置を店舗の前に設置した例を示した上面図である。
【図１０】実施形態２にかかる両面表示装置の機能ブロック図である。
【図１１】静止検出部における処理のフローチャートを示した図である。
【図１２】制御部における処理のフローチャートを示した図である。
【図１３】実施形態３にかかる両面表示装置の上面図である。
【図１４】実施形態３にかかる両面表示装置１を街中の歩道に設置した例を示した上面図である。
【図１５】実施形態３にかかる両面表示装置の機能ブロック図である。
【図１６】従来の屋外用両面表示装置を示した図である。
【発明を実施するための形態】
【００１８】
以下、本発明の実施形態を図面を用いて説明する。図面や以下の記述中で示す内容は例示であって、本発明の範囲は，図面や以下の記述中で示すものに限定されない。なお、本発明の図面において、同一の参照符号は、同一部分または相当部分を表わすものとする。
【００１９】
＜実施形態１＞
図１は、本発明の実施形態１にかかる両面表示装置１の斜視図である。両面表示装置１は、表示部２ａ、側方保持部３、上方保持部４、下方保持部５、脚部６、回路部７、センサ部８からなる。
【００２０】
表示部２ａは、画像データを表示する部分であり、液晶表示パネルや有機ＥＬ表示パネル等の表示パネルを有する。図１では隠れているが、表示部２ａの裏面には、背中あわせにもう一つの表示部２ｂが備えられている。これにより両面表示装置１は、矢印Ａと矢印Ｂの２方向に向けて、画像を表示することができる。以下では、矢印Ａの方向をＡ面、矢印Ｂの方向をＢ面と呼ぶ。すなわち、表示部２ａがＡ面側の表示部であり、表示部２ｂがＢ面側の表示部である。なお、本実施形態では、両面表示装置１の表示部２ａおよび表示部２ｂを構成している表示パネルは、ＴＦＴ（Ｔｈｉｎ  Ｆｉｌｍ  Ｔｒａｎｓｉｓｔｏｒ）基板とＣＦ（Ｃｏｌｏｒ  Ｆｉｌｔｅｒ）基板との間に液晶を封入して構成される液晶表示パネルによって実現されているものとする。なお、その他の方式の表示パネルを用いても良いことは、言うまでもない。
【００２１】
左右の側方保持部３、上方保持部４および下方保持部５は、表示部２ａおよび表示部２ｂを固定している。
【００２２】
脚部６は、左右の側方保持部３の下部に固定されている。
【００２３】
回路部７は、左右の側方保持部３および下方保持部５により固定されている。回路部７の具体的構成は後述する。
【００２４】
センサ部８は、両面表示装置の状態を検知するためのものであり、上方保持部４の上部中央に固定されている。センサ部８は、両面表示装置１の周囲にいる人の位置や動きを検知するためのセンサを備えている。
【００２５】
図２は、両面表示装置１の上面図である。また、センサ部８の詳細な構成を図示している。センサ部８は、反射型センサ８１ａおよび反射型センサ８１ｂを備える。反射型センサ８１ａおよび反射型センサ８１ｂは、赤外線等を放射しその反射を検出することで、赤外線等の放射方向にある物体の存在を検知するセンサである。赤外線の代わりに超音波を用いても良い。このように、物体の存在を検知する機能を持つものであれば、いずれの方式のセンサを用いても構わない。
【００２６】
反射型センサ８１ａは、表示パネルと平行な方向からＡ面側に角度αの方向に向けて取り付けられており、矢印Ｃの方向の物体の存在を検知することができる。つまり反射型センサ８１ａは、両面表示装置１の右側かつＡ面側に位置する人の存在を検知することができる。一方、反射型センサ８１ｂは、表示パネルと平行な方向からＢ面側に角度αの方向に向けて取り付けられており、矢印Ｄの方向の物体の存在を検知することができる。つまり反射型センサ８１ｂは、両面表示装置１の右側かつＢ面側に位置する人の存在を検知することができる。本実施形態では、両面表示装置１からある程度離れた位置にいる人の存在まで検知したいことから、検知距離の長いセンサを用いることが好ましい。
【００２７】
図３は、両面表示装置１を店舗９の前に設置した例を示した上面図である。店舗９は壁面９１で囲まれており、壁面９１の一部には出入り口９２が設けられている。店舗９は例えば、コンビニエンスストア、レストラン、映画館などである。
【００２８】
人１０１は、店舗９に来店しようとしている客である。人１０１は、出入り口９２の概ね正面から矢印Ｅの方向に入るものとする。以下では、矢印Ｅの方向を来店方向と呼ぶ。一方、人１０２は、店舗９から退店してきた客である。人１０２は出入り口９２の概ね正面の方向、すなわち矢印Ｆの方向に出ていくものとする。以下では、矢印Ｆの方向を退店方向と呼ぶ。来店方向および退店方向はすなわち、店舗９の出入り口９２付近の人の流れの方向である。
【００２９】
両面表示装置１は、店舗９の外部であって、出入り口９２に向かって左側に設置されている。両面表示装置１の表示パネルが、人１０１や人１０２の移動方向である矢印Ｅや矢印Ｆに垂直になるように設置する。また、反射型センサ８１ａおよび反射型センサ８１ｂが、人１０１や人１０２が通過する方向に向くように設置する。店舗９に来店する人１０１は、両面表示装置１のＡ面に表示された情報を見ることができ、店舗９から退店する人１０２は、両面表示装置１のＢ面に表示された情報を見ることができる。そこで、Ａ面には来店者向け情報を、Ｂ面には退店者向け情報を表示すれば、来店者と退店者にそれぞれ適切な情報を提示することができる。
【００３０】
例えば、店舗９が映画館の場合、Ａ面には来店者向け情報として、当日上映する映画の情報や上映時間の情報を表示し、Ｂ面には退店者向け情報として、次回上映予定の映画の情報を表示しても良い。また例えば、店舗９が百貨店の場合、Ａ面には来店者向け情報として、本日の特価情報を表示し、Ｂ面には退店者向け情報として、次回特売日の情報を表示しても良い。また例えば、店舗９がレストランの場合、Ａ面には来店者向け情報として、本日の特別メニューを表示し、Ｂ面には退店者向け情報として、翌日の特別メニューを表示しても良い。また例えば、店舗９がコンサート会場の場合、Ａ面には来場者向け情報として、会場内の様子や座席情報を表示し、Ｂ面には帰宅者向け情報として、電車の時刻表情報を表示しても良い。
【００３１】
図４は、両面表示装置１を店舗９の前に設置した別の例を示した上面図である。図３とは異なり、両面表示装置１は、出入り口９２に向かって右側に設置されている。図３と同じく、反射型センサ８１ａおよび反射型センサ８１ｂが、人１０１や人１０２が通過する方向に向くように設置する。このため、両面表示装置１のＡ面とＢ面の向きが、図３とは逆になる。店舗９に来店する人１０１は、両面表示装置１のＢ面に表示された情報を見ることができ、店舗９から退店する人１０２は、両面表示装置１のＡ面に表示された情報を見ることができる。従って、Ａ面およびＢ面に表示する情報は、図３の場合とは逆にする必要がある。
【００３２】
図３および図４からわかるように、両面表示装置１を店舗９の出入り口９２のどちら側に置くかにより、両面表示装置１のＡ面およびＢ面と入店者および退店者の関係が変わり、Ａ面およびＢ面に表示すべき情報も変えなければならない。これを自動的に判別して、常にＡ面およびＢ面に適切な情報を表示できるようにすることが、本発明の目的とするところである。
【００３３】
図５は、両面表示装置１の機能ブロック図である。両面表示装置１の回路は、センサ部８、回路部７、表示部２ａおよび表示部２ｂから構成されている。
【００３４】
センサ部８は上記の通り、反射型センサ８１ａおよび反射型センサ８１ｂを備える。反射型センサ８１ａおよび反射型センサ８１ｂの出力は、回路部７に入力される。
【００３５】
回路部７は、方向検出部７１、表示データ記憶部７２および制御部７３を備える。
【００３６】
方向検出部７１は、反射型センサ８１ａおよび反射型センサ８１ｂの出力を受け取り、両面表示装置１の横を通る人の流れの方向を検出する。より具体的には、例えば図３において、矢印Ｅの方向と矢印Ｆの方向のいずれが、店舗９への来店方向であるかを判別する。その処理については後述する。
【００３７】
表示データ記憶部７２は、表示部２ａおよび表示部２ｂに表示するための広告情報などのデータを記憶している。例えば、上記の映画館の例で示したように、当日上映する映画の情報や上映時間の情報および次回上映予定の映画の情報である。画像データであっても良いし、文字データであっても良い。
【００３８】
制御部７３は、方向検知部７１の検出結果を用いて、両面表示装置１のＡ面である表示部２ａとＢ面である表示部２ｂにそれぞれどの表示データを表示するかを選択する。選択した表示データを表示データ記憶部７２から読み出し、表示部２ａおよび表示部２ｂにそれぞれ送る。
【００３９】
表示部２ａおよび表示部２ｂは、制御部７３から送られた表示データを表示する。
【００４０】
図６は、方向検出部７１における処理のフローチャートを示した図である。
【００４１】
ステップＳ１において、初期化処理を行う。具体的には、「Ａ→Ｂカウンタ」および「Ｂ→Ａカウンタ」を初期化し、計測タイマーをスタートさせる。これらについては後述する。
【００４２】
次にステップＳ２において、計測がタイムアップであるかを判定する。具体的には、ステップＳ１でスタートさせた計測タイマーがあらかじめ定めておいた計測時間Ｔを経過した場合に、計測がタイムアップしたと判定する。Ｙｅｓの場合、すなわち計測がタイムアップした場合は、ステップＳ９に進む。Ｎｏの場合、すなわちまだ計測がタイムアップしていない場合は、ステップＳ３に進む。
【００４３】
ステップＳ３において、反射型センサ８１ａが「Ｏｎ」か、すなわち図２の矢印Ｃの方向に人が存在するかを判定する。Ｙｅｓの場合、ステップＳ４に進む。
【００４４】
次にステップＳ４において、反射型センサ８１ｂが「Ｏｎ」か、すなわち図２の矢印Ｄの方向に人が存在するかを判定する。Ｙｅｓの場合、ステップＳ５に進み、Ｎｏの場合はステップＳ２に戻る。ここで、ステップＳ３およびステップＳ４が続けてＹｅｓである場合、すなわち反射型センサ８１ａと反射型センサ８１ｂが順次「Ｏｎ」になった場合は、例えば図３の人１０１のように、人が両面表示装置１の横をＡ面側からＢ面側へと通り過ぎた状況を検出したと考えられる。
【００４５】
そこで、ステップＳ５においては、「Ａ→Ｂカウンタ」を＋１する。「Ａ→Ｂカウンタ」は、両面表示装置１の横をＡ面側からＢ面側へと通り過ぎた人の人数をカウントするためのカウンタである。その後、ステップＳ２に戻る。
【００４６】
ステップＳ３でＮｏの場合は、次にステップＳ６に進む。ステップＳ６においは、反射型センサ８１ｂが「Ｏｎ」か、すなわち図２の矢印Ｄの方向に人が存在するかを判定する。Ｙｅｓの場合、ステップＳ７に進む。Ｎｏの場合はステップＳ２に戻る。
【００４７】
次にステップＳ７において、反射型センサ８１ａが「Ｏｎ」か、すなわち図２の矢印Ｃの方向に人が存在するかを判定する。Ｙｅｓの場合、ステップＳ８に進み、Ｎｏの場合はステップＳ２に戻る。ここで、ステップＳ６およびステップＳ７が続けてＹｅｓである場合、すなわち反射型センサ８１ｂと反射型センサ８１ａが順次「Ｏｎ」になった場合は、例えば図３の人１０２のように、人が両面表示装置１の横をＢ面側からＡ面側へと通り過ぎた状況を検出したと考えられる。
【００４８】
そこで、ステップＳ８においては、「Ｂ→Ａカウンタ」を＋１する。「Ｂ→Ａカウンタ」は、両面表示装置１の横をＢ面側からＡ面側へと通り過ぎた人の人数をカウントするためのカウンタである。その後、ステップＳ２に戻る。
【００４９】
以上のステップＳ１〜Ｓ８の処理はすなわち、上記の計測時間Ｔ内に、何人が両面表示装置１の横をＡ面側からＢ面側へ、あるいはＢ面側からＡ面側へ通り過ぎたかをそれぞれカウントする処理である。それぞれの人数は「Ａ→Ｂカウンタ」および「Ｂ→Ａカウンタ」に記録される。
【００５０】
ステップＳ２でＹｅｓの場合、すなわち計測がタイムアップして計測が終了した後は、上記の通りステップＳ９に進む。ステップＳ９においては、Ｎｕｍ＝「Ａ→Ｂカウンタ」−「Ｂ→Ａカウンタ」の値を計算する。
【００５１】
次にステップＳ１０〜Ｓ１３で、Ｎｕｍの値に基づいて多分岐処理を行う。Ｎｕｍ＞０の場合は、ステップＳ１１に進む。Ｎｕｍ＜０の場合は、ステップＳ１２に進む。Ｎｕｍ＝０の場合は、ステップＳ１３に進む。
【００５２】
ここで、Ｎｕｍ＞０である場合は、計測時間Ｔ内に両面表示装置１の横をＡ面側からＢ面側へと通り過ぎた人数の方が多かったことを意味する。例えば店舗９の開店直後から計測時間Ｔが経過する間に上記の計測を行った場合、来店する人の方が退店する人より多いことから、通り過ぎた人数の多いほうの向きが、店舗９への来店方向であると判別できる。そこで、ステップＳ１１においては、Ａ面側からＢ面側へと通り過ぎる方向を来店方向と設定する。図３のように両面表示装置１を設置した場合、このような結果が得られる。
【００５３】
Ｎｕｍ＜０である場合は、計測時間内に両面表示装置１の横をＢ面側からＡ面側へと通り過ぎた人数の方が多かったことを意味する。そこで、ステップＳ１２においては、Ｂ面側からＡ面側へと通り過ぎる方向を来店方向と設定する。図４のように両面表示装置１を設置した場合、このような結果が得られる。
【００５４】
Ｎｕｍ＝０の場合は、いずれが来店方向か判別不能である。そこで、ステップＳ１３において、計測時間Ｔを延長する。具体的には、上記ステップＳ２で説明した計測時間Ｔの値を増加させる。その後、ステップＳ２に戻る。
【００５５】
上記の計測時間Ｔは、例えば開店から１０分としても良い。開店から１０分間の検出結果により来店方向を一旦検出してしまえば、後はその検出結果を閉店まで用いれば良い。
【００５６】
また、上記のステップＳ１３における計測時間の延長分は、当初の計測時間と同じでも良いし、異なっていても良い。例えば、１０分間延長しても良いし、５分間延長しても良い。
【００５７】
さらには、来店方向を検出後も、ずっと計測しても良い。Ｎｕｍの絶対値を取ると、来店者数と退店者数の差分、すなわち現在店舗内にいるお客の人数が得られる。このため、店舗内のお客の人数を常に把握することも可能である。
【００５８】
図７は、制御部７３における処理のフローチャートを示した図である。
【００５９】
ステップＳ２１〜Ｓ２４において、方向検知部７１の検出結果である「来店方向」に基づいて多分岐処理を行う。来店方向が「Ａ→Ｂ」、すなわちＡ面側からＢ面側へと通り過ぎる方向である場合、ステップＳ２２に進む。来店方向が「Ｂ→Ａ」、すなわちＢ面側からＡ面側へと通り過ぎる方向である場合、ステップＳ２３に進む。不定、すなわち方向検知部７１でまだ来店方向が設定されていない場合、ステップＳ２４に進む。
【００６０】
ステップＳ２２においては、Ａ面に来店者向け表示データ、Ｂ面に退店者向け表示データを選択する。その後、ステップＳ２５に進む。
【００６１】
ステップＳ２３においては、Ｂ面に来店者向け表示データ、Ａ面に退店者向け表示データを選択する。その後、ステップＳ２５に進む。
【００６２】
ステップＳ２４においては、Ａ面とＢ面の両方に、来店者向け表示データを選択する。その後、ステップＳ２５に進む。来店方向が不定の場合は、各面にどの表示データを表示すれば良いかわからないという問題がある。これに対しては、例えば、Ａ面とＢ面の両方に来店者と退店者のいずれに見せても問題ないような情報を表示させれば良い。ステップＳ２４ではその一例として、Ａ面とＢ面の両方に来店者向け表示データを表示させている。このほか、来店方向が不定の場合用の表示データをあらかじめ用意しておき、それを選択するようにしても良い。あるいは、来店者向け表示データと退店者向け表示データをＡ面とＢ面に交互に、一定時間で切り替えるように表示しても良い。
【００６３】
次にステップＳ２５において、ステップＳ２２〜Ｓ２４で選択した表示データを表示データ記憶部７２から読み出し、表示部２ａおよび表示部２ｂにそれぞれ送る。
【００６４】
以上説明したように、本実施形態にかかる両面表示装置１によれば、例えば図３および図４に示したように、店舗９の出入り口９２に対していずれの位置に両面表示装置１を設置しても、両面表示装置１に対する来店方向を判別することができ、表示部２ａおよび表示部２ｂにそれぞれ適切な画像を自動的に表示することが可能となる。
【００６５】
なお、本実施形態では、図２を用いて説明したように、反射型センサ８１ａおよび反射型センサ８１ｂは右方向に向けて取り付けられていたが、センサ部８全体を１８０度回転できる機構を設け、左方向にも向けられるようにしても良い。このようにすれば、図３の場合でも図４の場合でも、両面表示装置１は同じ向きに設置し、センサ部８のみ、反射型センサ８１ａおよび反射型センサ８１ｂが人１０１や人１０２が通過する方向に向くように回転させるだけで良い。なおこの場合、センサ部８の回転を検知する機構の追加や、方向検出部７１や制御部７３の処理の修正が必要である。
【００６６】
あるいは、センサ部８に、左方向に向けてさらに別の２つの反射型センサを設けても良い。このようにすれば、反射型センサの方向を気にすることなく両面表示装置１を設置することができ、より設置時の手間を軽減することができる。このような構成とした場合、例えば図３の配置においては、店舗９の出入り口９２とは遠い側の２つの反射型センサは、人が前を通らないためにほとんど反応することは無い。そこで、一定時間、各反射型センサの反応を検出し、反応の多い側が出入り口９２に近い側であると判別することが可能である。
【００６７】
また、本実施形態では、図５で示したように、方向検出部７１および制御部７３を、別の機能ブロックとして説明した。しかし、方向検出部７１の機能を制御部７３に含め、制御部７３で、両面表示装置１の横を通る人の流れの方向を検出する処理を行っても良い。
【００６８】
また、本実施形態では、店舗９の出入り口９２付近に両面表示装置１を設置した。このほか、エスカレータの乗り口付近、駅の改札口、コンサート会場の出入り口付近、美術館や博物館の出入り口付近に設置して、同様の表示を行うことも可能である。また、例えば百貨店のある売り場の入り口付近といったように、ある特定の領域の入り口付近に設置しても良い。
【００６９】
また、上記の図６の説明に記載したように、開店から閉店までずっと計測する場合、上記のＮｕｍの絶対値は、現在店舗内にいるお客の人数である。そこで、Ｎｕｍの値に応じて表示部２ａおよび表示部２ｂに表示する表示データを選択することも可能である。例えば、両面表示装置１をコンビニエンスストア前に設置した場合において、店舗内にいるお客の人数が所定の値以下である場合は、お客を店内に招き入れるような派手な表示に切り替えても良い。また、両面表示装置１を美術館の前に設置した場合において、美術館内で現在観賞中の人数を表示するようにしても良い。
【００７０】
＜実施形態２＞
本発明の実施形態２にかかる両面表示装置１’は、実施形態１にかかる両面表示装置１のセンサ部８に、更に別のセンサを追加して、表示部２ａおよび表示部２ｂに表示する表示データを、よりきめ細かく制御するものである。
【００７１】
図８は、本実施形態にかかる両面表示装置１’の上面図である。また、センサ部８’の詳細な構成を図示している。センサ部８’は、反射型センサ８１ａおよび反射型センサ８１ｂの他に、人感センサ８２ａおよび人感センサ８２ｂを備える。人感センサ８２ａおよび人感センサ８２ｂとしては、例えば、前記の反射型センサ８１ａおよび反射型センサ８１ｂと同様に、赤外線等を放射しその反射を検出することで、赤外線等の放射方向にある物体の存在を検知するセンサを用いることができる。赤外線の代わりに超音波を用いても良い。また、人体の発する遠赤外線を捉えることのできる焦電素子を用いた、焦電型赤外線センサを用いることもできる。このように、物体の存在を検知する機能や人体の検知機能を持つものであれば、いずれの方式のセンサを用いても構わない。
【００７２】
人感センサ８２ａは、Ａ面側に向けて表示パネルに垂直な方向である矢印Ｅの方向に向けて取り付けられており、矢印Ｅの方向の物体の存在を検知することができる。つまり人感センサ８２ａは、両面表示装置１’のＡ面側正面に位置する人の存在を検知することができる。一方、人感センサ８２ｂは、Ｂ面側に向けて表示パネルに垂直な方向である矢印Ｆの方向に向けて取り付けられており、矢印Ｆの方向の物体の存在を検知することができる。つまり人感センサ８２ｂは、両面表示装置１’のＢ面側正面に位置する人の存在を検知することができる。人感センサ８２ａおよび人感センサ８２ｂは、両面表示装置１’の近くの人の存在を感知することを目的としており、検知距離は短くても良い。一方、両面表示装置１’の正面を中心として、ある程度の範囲をカバーできるものであることが好ましい。
【００７３】
図９は、両面表示装置１’を店舗９の前に設置した例を示した上面図である。両面表示装置１’は、図３と同様、店舗９の外部であって、出入り口９２に向かって左側に設置されている。
【００７４】
人１０３および人１０４は、両面表示装置１’のＡ面側またはＢ面側に近付いている客である。両面表示装置１’に表示された内容に興味を持って近付き、立ち止まっている様子を想定している。このような人１０３あるいは人１０４に対しては、さらに異なる情報を提示して、より効果的な情報提供を行うことが可能である。以下では、このように両面表示装置１’の来店者向け表示部、すなわち図９におけるＡ面の近傍に静止している人向けの表示データを、来店者向け近接表示データと呼ぶ。また、両面表示装置１’の退店者向け表示部、すなわち図９におけるＢ面の近傍に静止している人向けの表示データを、退店者向け近接表示データと呼ぶ。
【００７５】
図１０は、両面表示装置１’の機能ブロック図である。両面表示装置１’の回路は、センサ部８’、回路部７’、表示部２ａおよび表示部２ｂから構成されている。
【００７６】
センサ部８’は、実施形態１のセンサ部８と比較すると、人感センサ８２ａおよび人感センサ８２ｂが追加されている。人感センサ８２ａおよび人感センサ８２ｂの出力は、回路部７’に入力される。
【００７７】
回路部７’は、実施形態１の回路部７と比較すると、静止検出部７４が追加され、制御部７３が制御部７３’に変更されている。
【００７８】
静止検出部７４は、人感センサ８２ａおよび人感センサ８２ｂの出力を受け取り、両面表示装置１’のＡ面あるいはＢ面の近くに立ち止まって静止している人の存在を検出する。
【００７９】
制御部７３’は、方向検出部７１の検出結果だけではなく、静止検出部７４の検出結果も用いて、両面表示装置１’のＡ面である表示部２ａとＢ面である表示部２ｂにそれぞれどの表示データを表示するかを選択する。選択した表示データを表示データ記憶部７２から読み出し、表示部２ａおよび表示部２ｂにそれぞれ送る。
【００８０】
他の部分は、実施形態１と同様であるため、説明を省略する。
【００８１】
図１１は、静止検出部７４における処理のフローチャートを示した図である。図１１（ａ）は人感センサ８２ａの出力を用いた処理のフローチャートであり、図１１（ｂ）は人感センサ８２ｂの出力を用いた処理のフローチャートである。静止検出部７４では、この２つの処理を並列して実施する。
【００８２】
まず図１１（ａ）の処理について説明する。
【００８３】
ステップＳ３１において、人感センサ８２ａが「Ｏｎ」であるか、すなわち図８の矢印Ｅの方向に人が存在するかを判定する。Ｙｅｓの場合、ステップＳ３２に進む。Ｎｏの場合は、再びステップＳ３１に戻る。
【００８４】
ステップ３２においては、人感センサ８２ａが一定時間「Ｏｎ」であり続けたかを判定する。Ｙｅｓの場合は、ステップＳ３３に進む。Ｎｏの場合は、ステップＳ３１に戻る。
【００８５】
このステップＳ３１およびＳ３２の処理は、人感センサ８２ａの検知範囲内、すなわち両面表示装置１’のＡ面側の近くに、人が一定時間静止し続けているか否かを判定する処理である。静止した人を検出するまで、この処理を繰り返す。静止した人を検出すると、上記のようにステップＳ３３に進む。
【００８６】
ステップＳ３３においては、制御部７３’に対して、Ａ面の画像を変更する指示を送る。図９を用いて説明した前記の映画館の例で言えば、Ａ面に近付いた人１０３に、空席情報をさらに表示する指示を送る。その後ステップＳ３４に進む。
【００８７】
続くステップＳ３４およびＳ３５は、両面表示装置１’のＡ面側の近くに静止していた人が離れたときに、表示を元に戻すための処理である。
【００８８】
ステップＳ３４においては、人感センサ８２ａが「Ｏｆｆ」であるか、すなわち図８の矢印Ｅの方向に人が存在しなくなったかを判定する。Ｎｏの場合は、まだ人が存在する、すなわち両面表示装置１’のＡ面側の近くに静止し続けているので、再びステップＳ３４に戻る。Ｙｅｓの場合は、もう人が存在しない、すなわち両面表示装置１’のＡ面側の近くから離れたことを意味するので、次のステップＳ３５に進む。
【００８９】
ステップＳ３５においては、上記のステップＳ３３において制御部７３’に送ったＡ面の画像を変更する指示を解除する。
【００９０】
図１１（ｂ）に示したステップＳ４１〜Ｓ４５の処理には、両面表示装置１’のＢ面側に関して、図１１（ａ）と同様の処理を行うものである。このため、詳細な説明は省略する。
【００９１】
図１２は、制御部７３’における処理のフローチャートを示した図である。上記の図７に示した実施形態１における制御部７３における処理と比べると、基本的な処理の流れは同様であるが、静止検出部７４の処理結果に基づいてさらに表示データを変更する処理が追加されている。
【００９２】
ステップＳ５１、Ｓ５２、Ｓ５８およびＳ６４において、方向検知部７１の検出結果である「来店方向」に基づいて多分岐処理を行う。来店方向が「Ａ→Ｂ」、すなわちＡ面側からＢ面側へと通り過ぎる方向である場合、ステップＳ５２に進む。来店方向が「Ｂ→Ａ」、すなわちＢ面側からＡ面側へと通り過ぎる方向である場合、ステップＳ５８に進む。不定、すなわち方向検知部７１でまだ来店方向が設定されていない場合、ステップＳ６４に進む。
【００９３】
ステップＳ５２〜Ｓ５７の処理は、来店方向が「Ａ→Ｂ」の場合の、Ａ面およびＢ面に表示するデータを選択する処理である。
【００９４】
まずステップＳ５２において、静止検出部７４からＡ面の画像の変更指示が有るかを判定する。この指示は、上記の図１１のＳ３３の処理により出され、Ｓ３５の処理により解除されるものである。Ｙｅｓ、すなわちＡ面の画像の変更指示が有る場合は、ステップＳ５３に進む。
【００９５】
ステップＳ５３では、Ａ面に来店者向け近接表示データを選択する。その後、ステップＳ５５に進む。
【００９６】
ステップＳ５２の判定においてＮｏの場合、すなわちＡ面の画像の変更指示が無い場合は、ステップＳ５４に進む。ステップＳ５４では、Ａ面に来店者向け表示データを選択する。その後、ステップＳ５５に進む。
【００９７】
次にステップＳ５５において、静止検出部７４からＢ面の画像の変更指示が有るかを判定する。この指示は、上記の図１１のＳ４３の処理により出され、Ｓ４５の処理により解除されるものである。Ｙｅｓ、すなわちＢ面の画像の変更指示が有る場合は、ステップＳ５６に進む。
【００９８】
ステップＳ５６では、Ｂ面に退店者向け近接表示データを選択する。その後、ステップＳ７０に進む。
【００９９】
ステップＳ５５の判定においてＮｏの場合、すなわちＢ面の画像の変更指示が無い場合は、ステップＳ５７に進む。ステップＳ５７では、Ｂ面に退店者向け表示データを選択する。その後、ステップＳ７０に進む。
【０１００】
以上のステップＳ５２〜Ｓ５７の処理をまとめると、以下のようになる。
・Ａ面に来店者向け表示データ、Ｂ面に退店者向け表示データを選択する。
・各面に対して画像の変更指示が有る場合は、近接表示データを選択する。
【０１０１】
ステップＳ５８〜Ｓ６３の処理は、来店方向が「Ｂ→Ａ」の場合の、Ａ面およびＢ面に表示するデータを選択する処理である。
【０１０２】
まずステップＳ５８において、静止検出部７４からＡ面の画像の変更指示が有るかを判定する。この指示は、上記の図１１のＳ３３の処理により出され、Ｓ３５の処理により解除されるものである。Ｙｅｓ、すなわちＡ面の画像の変更指示が有る場合は、ステップＳ５９に進む。
【０１０３】
ステップＳ５９では、Ａ面に退店者向け近接表示データを選択する。その後、ステップＳ６１に進む。
【０１０４】
ステップＳ５８の判定においてＮｏの場合、すなわちＡ面の画像の変更指示が無い場合は、ステップＳ６０に進む。ステップＳ６０では、Ａ面に退店者向け表示データを選択する。その後、ステップＳ６１に進む。
【０１０５】
次にステップＳ６１において、静止検出部７４からＢ面の画像の変更指示が有るかを判定する。この指示は、上記の図１１のＳ４３の処理により出され、Ｓ４５の処理により解除されるものである。Ｙｅｓ、すなわちＢ面の画像の変更指示が有る場合は、ステップＳ６２に進む。
【０１０６】
ステップＳ６２では、Ｂ面に来店者向け近接表示データを選択する。その後、ステップＳ７０に進む。
【０１０７】
ステップＳ６１の判定においてＮｏの場合、すなわちＢ面の画像の変更指示が無い場合は、ステップＳ６３に進む。ステップＳ６３では、Ｂ面に来店者向け表示データを選択する。その後、ステップＳ７０に進む。
【０１０８】
以上のステップＳ５８〜Ｓ６３の処理をまとめると、以下のようになる。
・Ｂ面に来店者向け表示データ、Ａ面に退店者向け表示データを選択する。
・各面に対して画像の変更指示が有る場合は、近接表示データを選択する。
【０１０９】
ステップＳ６４〜Ｓ６９の処理は、来店方向が不定の場合の、Ａ面およびＢ面に表示するデータを選択する処理である。
【０１１０】
まずステップＳ６４において、静止検出部７４からＡ面の画像の変更指示が有るかを判定する。この指示は、上記の図１１のＳ３３の処理により出され、Ｓ３５の処理により解除されるものである。Ｙｅｓ、すなわちＡ面の画像の変更指示が有る場合は、ステップＳ６５に進む。
【０１１１】
ステップＳ６５では、Ａ面に来店者向け近接表示データを選択する。その後、ステップＳ６７に進む。
【０１１２】
ステップＳ６４の判定においてＮｏの場合、すなわちＡ面の画像の変更指示が無い場合は、ステップＳ６６に進む。ステップＳ６６では、Ａ面に来店者向け表示データを選択する。その後、ステップＳ６７に進む。
【０１１３】
次にステップＳ６７において、静止検出部７４からＢ面の画像の変更指示が有るかを判定する。この指示は、上記の図１１のＳ４３の処理により出され、Ｓ４５の処理により解除されるものである。Ｙｅｓ、すなわちＢ面の画像の変更指示が有る場合は、ステップＳ６８に進む。
【０１１４】
ステップＳ６８では、Ｂ面に来店者向け近接表示データを選択する。その後、ステップＳ７０に進む。
【０１１５】
ステップＳ６７の判定においてＮｏの場合、すなわちＢ面の画像の変更指示が無い場合は、ステップＳ６９に進む。ステップＳ６９では、Ｂ面に来店者向け表示データを選択する。その後、ステップＳ７０に進む。
【０１１６】
以上のステップＳ６４〜Ｓ６９の処理をまとめると、以下のようになる。
・Ａ面およびＢ面の両方に来店者向け表示データを選択する。
・各面に対して画像の変更指示が有る場合は、近接表示データを選択する。
【０１１７】
なお、Ａ面およびＢ面の両方に来店者向け表示データを選択する代わりに、来店方向が不定の場合用の表示データをあらかじめ用意しておき、それを選択するようにしても良い。
【０１１８】
最後に、ステップＳ７０において、ステップＳ５２〜Ｓ６９で選択した表示データを表示データ記憶部７２から読み出し、表示部２ａおよび表示部２ｂにそれぞれ送る。
【０１１９】
このような処理によれば、例えば図９に示した状況において、以下のような処理が実現される。店舗９が映画館の場合、まず方向検出部７１の検出結果に基づき、Ａ面には来店者向け情報として、当日上映する映画の情報や上映時間の情報が表示され、Ｂ面には退店者向け情報として、次回上映予定の映画の情報が表示される。
【０１２０】
その上で、Ａ面に近付き一定時間静止した人１０３がいた場合は、Ａ面の表示内容を空席情報に変更する。さらに、人１０３が離れた場合は、再び元の情報の表示に戻す。
【０１２１】
また、Ｂ面に近付き一定時間静止した人１０４がいた場合は、Ｂ面の表示内容を次回上映予定の映画の予告編映像に変更する。さらに、人１０４が離れた場合は、再び元の情報の表示に戻す。
【０１２２】
従って、以上のような処理を行うことにより、両面表示装置１’のＡ面側またはＢ面側に近付いた人に対して、表示部２ａおよび表示部２ｂに表示する内容を自動的に変化させ、より効果的な情報提供を行うことが可能となる。
【０１２３】
また、本実施形態にかかる両面表示装置１’によれば、両面表示装置１’のＡ面側またはＢ面側に近付いて静止した人が表示部を見ていた時間を算出することも可能であり、これにより広告の効果確認等にも利用することができる。
【０１２４】
なお、本実施形態の以上の説明では、図９に示したように、両面表示装置１’が店舗９の外部であって、出入り口９２に向かって左側に設置されている場合を例に説明した。これに対し、図４のように両面表示装置１’が出入り口９２に向かって右側に設置されている場合は、方向検出部７１の検出結果に基づき、Ａ面およびＢ面に表示する内容も適宜変更されることは言うまでもない。
【０１２５】
また、両面表示装置１’に興味を持って近付いた人に、より多くの情報を提示するため、近接表示データを一定時間で次々に切り替えるようにしても良い。
【０１２６】
また、本実施形態においては、上記の図８に示したように、センサ部８’に、反射型センサ８１ａおよび８１ｂ並びに人感センサ８２ａおよび８２ｂの、２組のセンサを備えていた。しかし、反射型センサ８１ａおよび８１ｂは、来店方向を検出した後は、使用しない場合もある。そこで、反射型センサ８１ａおよび８１ｂの取り付け角度αを９０度まで変更できる機構を追加し、来店方向を検出した後は、反射型センサ８１ａおよび８１ｂの取り付け角度αを９０度に変更して、人感センサ８２ａおよび８２ｂの代わりに使用する構成としても良い。取り付け角度αの変更方法は、モーター等を使って自動的に行えるようにしても良いし、手動で変更するようにしても良い。このような構成とすれば、１組のセンサで本実施形態の機能を実現することも可能である。
【０１２７】
また、本実施形態では、図１０で示したように、方向検出部７１、静止検出部７４および制御部７３’を、別の機能ブロックとして説明した。しかし、方向検出部７１の機能を制御部７３’に含め、制御部７３’で、両面表示装置１の横を通る人の流れの方向を検出する処理を行っても良い。また、静止検出部７４の機能を制御部７３’に含め、制御部７３’で、両面表示装置１’のＡ面あるいはＢ面の近くに立ち止まって静止している人の存在を検出する処理を行っても良い。さらには、方向検出部７１および静止検出部７４の機能の両方を制御部７３’に含めても良い。
【０１２８】
＜実施形態３＞
本発明の実施形態３にかかる両面表示装置１’’は、上記の実施形態１とは異なるセンサを用いた例である。
【０１２９】
図１３は、本実施形態にかかる両面表示装置１’’の上面図である。また、センサ部８’’の詳細な構成を図示している。センサ部８’’は、上記のセンサ部８およびセンサ部８’と同じく両面表示装置の状態を検知するためのものであり、ＧＰＳ（Ｇｌｏｂａｌ  Ｐｏｓｉｔｉｏｎｉｎｇ  Ｓｙｓｔｅｍ）８３および電子コンパス８４を備える。ＧＰＳ８３は、複数の衛星からの電波を用いて両面表示装置１’’の位置の情報を得るものである。電子コンパス８４は、地磁気を検出して両面表示装置１’’の向きの情報を得るものである。
【０１３０】
図１４は、両面表示装置１’’を街中の歩道１２に設置した例を示した上面図である。図１４の上方向が北（Ｎ）、下方向が南（Ｓ）、右方向が東（Ｅ）、左方向が西（Ｗ）である。図の上から、車道１１、歩道１２および建物１３の順に並んでいる。車道１１、歩道１２および建物１３は、東西方向に伸びている。歩道１２を西に進むと町Ｐがあり、歩道１２を東に進むと町Ｑがあるものとする。両面表示装置１’’は、歩道１２の最も建物１３寄りに、Ａ面を西に、Ｂ面を東に向けて設置されている。このように、両面表示装置１’’は歩道１２の進行方向、すなわち歩道を歩く人の流れの方向に対して表示部２ａおよび表示部２ｂが垂直な向きとなるように設置するものとする。
【０１３１】
図１５は、両面表示装置１’’の機能ブロック図である。両面表示装置１’’の回路は、センサ部８’’、回路部７’’、表示部２ａおよび表示部２ｂから構成されている。
【０１３２】
センサ部８’’は、実施形態１のセンサ部８と比較すると、人感センサ８２ａおよび人感センサ８２ｂの代わりにＧＰＳ８３および電子コンパス８４が備えられている。ＧＰＳ８３および電子コンパス８４の出力は、回路部７’’に入力される。
【０１３３】
回路部７’’は、実施形態１の回路部７と比較すると、地理データ取得部７５が追加され、方向検出部７１が方向検出部７１’’に、制御部７３が制御部７３’’に変更されている。
【０１３４】
地理データ取得部７５は、地理情報の電子データを取得する手段であり、制御部７３’’に接続されている。その具体的手段は、特に限定されるものではない。例えば、回路部７’’に、地理情報の電子データを格納したメモリ部をさらに備え、そこから地理データ取得部７５が地理情報を取得する構成としても良い。あるいは、回路部７’’に、ＣＤ−ＲＯＭやＤＶＤ−ＲＯＭ等の可搬媒体の読み出し装置、ＵＳＢメモリや外付けハードディスク等の外部記憶装置の読み出し装置等をさらに備え、地理情報の電子データを格納した可搬媒体や外部記憶装置等から、地理データ取得部７５が地理情報を取得する構成としても良い。あるいは、回路部７’’に、有線ＬＡＮや無線ＬＡＮ等のネットワーク・インターフェースをさらに備え、ネットワーク上に地理情報の電子データを用意しておき、それを地理データ取得部７５が取得する構成としても良い。
【０１３５】
方向検出部７１’’は、電子コンパス８４の出力を受け取り、両面表示装置１’’のＡ面およびＢ面の方向を検出する。例えば図１４に示した状況の場合、Ａ面が西向きに、Ｂ面が東向きに設置されていることを検出する。さらにここから、両面表示装置１’’の側をＡ面側からＢ面側へと通り過ぎる人は、東方向に歩くことおよび、両面表示装置１’’の側をＢ面側からＡ面側へと通り過ぎる人は、西方向に歩くことを検出する。これはすなわち、両面表示装置１’’の横を通る人の流れの方向である。その結果を制御部７３’’に出力する。
【０１３６】
制御部７３’’は、ＧＰＳ８３の出力、方向検出部７１’’で検出した情報および地理データ取得部７５で取得した地理情報を用いて、両面表示装置１’’のＡ面の背面方向にある地理的情報と、両面表示装置１’’のＢ面の背面方向にある地理的情報を検出する。
【０１３７】
まず、ＧＰＳ８３の出力および地理データ取得部７５で取得した地理情報から、両面表示装置１’’に関する位置情報および周囲の状況の情報を検出する。例えば図１４に示した状況の場合、両面表示装置１’’が町Ｐと町Ｑの間の東西に伸びる歩道１２上に設置されていることを検出する。
【０１３８】
次に、方向検出部７１’’で検出した情報をさらに用いて、両面表示装置１’’の側を通り過ぎる人の進行方向に関する地理的情報を検出する。例えば図１４に示した状況の場合、両面表示装置１’’の側をＡ面側からＢ面側へと通り過ぎる人の進行方向には町Ｑがあり、両面表示装置１’’の側をＢ面側からＡ面側へと通り過ぎる人の進行方向には町Ｐがあることを検出する。
【０１３９】
次に、両面表示装置１’’の側を通り過ぎる人の進行方向に関する地理的情報の検出結果を用いて、両面表示装置１’’のＡ面である表示部２ａとＢ面である表示部２ｂにそれぞれどの表示データを表示するかを選択する。例えば図１４に示した状況の場合、両面表示装置１’’の側をＡ面側からＢ面側へと町Ｑの方向に向かって通り過ぎる人は、Ａ面に表示した情報を見るので、Ａ面には町Ｑの情報の表示データを選択する。また、両面表示装置１’’の側をＢ面側からＡ面側へと町Ｐの方向に向かって通り過ぎる人は、Ｂ面に表示した情報を見るので、Ｂ面には町Ｐの情報の表示データを選択する。なお、このような表示データは、あらかじめ表示データ記憶部７２に保存しておくものとする。
【０１４０】
次に、選択した表示データを表示データ記憶部７２から読み出し、表示部２ａおよび表示部２ｂにそれぞれ送る。
【０１４１】
他の部分は、実施形態１と同様であるため、説明を省略する。
【０１４２】
以上説明したように、本実施形態にかかる両面表示装置１’’によれば、両面表示装置１’’は、いずれの向きに設置しても、両面表示装置１’’を設置した場所やその場所における人の流れの向きを両面表示装置１’’自身で判別し、それに応じて表示部２ａおよび表示部２ｂにそれぞれ適切な画像を自動的に表示することが可能となる。このため、両面表示装置１’’は、設置時にその向きを気にすることなく設置することができるという効果を有する。
【０１４３】
なお、本実施形態では、両面表示装置１’’を歩道１２に設置した例について説明したが、例えば各種店舗の出入り口付近に設置した場合も、ＧＰＳ８３および電子コンパス８４の出力と、地理データ取得部７５で取得した地理情報を照らし合わせて、両面表示装置１’’と店舗の位置及び向きの関係を検出することができる。これにより、実施形態１と同様の表示を行うことも可能である。
【０１４４】
また、本実施形態では、両面表示装置１’’の位置の情報を得る手段として、ＧＰＳ８３を用いたが、その他の手段を用いても構わない。例えば、携帯電話の基地局の位置情報を利用する装置を用いても構わない。すなわち、両面表示装置１’’の位置情報を検出できるものであれば、どのような手段を用いても構わない。
【０１４５】
同様に、本実施形態では、両面表示装置１’’の向きの情報を得る手段として、電子コンパス８４を用いたが、その他の手段を用いても構わない。例えば、間隔をあけて２個のＧＰＳを備え、それらの位置情報の差から、両面表示装置１’’の向きの情報を得ても良い。すなわち、両面表示装置１’’の方向情報を検出できるものであれば、どのような手段を用いても構わない。
【０１４６】
また、本実施形態では、図１５で示したように、方向検出部７１’および制御部７３’’を、別の機能ブロックとして説明した。しかし、方向検出部７１’の機能を制御部７３’’に含め、制御部７３’’で、両面表示装置１’’のＡ面およびＢ面の方向を検出する処理を行っても良い。
【０１４７】
また、上記の実施形態１および２では、両面表示装置の周囲にいる人を反射型センサや人感センサで検出したが、カメラや、距離画像を取得できる距離画像センサを用いて検出しても構わない。すなわち、検出手段は特に限定されるものではない。
【０１４８】
また、上記の実施形態１〜３では、両面表示装置の横を通る人の流れの方向を検出し、その情報に用いて２つの表示部に表示する内容を制御した。これに加えて、時間帯により２つの表示部に表示する内容を変更しても良い。例えば、前記のレストランの場合であれば、入店者に対して、朝はモーニングセットの情報を、昼はランチの情報を、夜はディナーの情報を表示するよう、自動的に切り替えるようにしても良い。あるいは、同じ情報を表示し続けてもそれを見る人が飽きることから、一定時間毎に２つの表示部に表示する内容を変更しても良い。例えば、Ａ面用の表示データとＢ面用の表示データをそれぞれ複数用意しておき、１分ごとに切り替えても良い。
【０１４９】
以上、本発明の実施形態１〜３について具体的に説明を行ったが、本発明はそれらに限定されるものではない。上述した３つの実施形態に開示された技術的手段を適宜組み合わせて得られる実施形態についても本発明の技術的範囲に含まれる。
【０１５０】
上記の実施形態１〜３の説明では、機能を実現するための各構成要素をそれぞれ異なる部位であるとして説明を行っているが、実際にこのように明確に分離して認識できる部位を有していなければならないわけではない。機能を実現するための各構成要素が、例えば実際にそれぞれ異なる部位を用いて構成されていてもかまわないし、あるいは、全ての構成要素を一つのＬＳＩに実装していてもかまわない。すなわち、どういう実装形態であれ、機能として各構成要素を有していれば良い。
【０１５１】
また、上記の実施形態１〜３で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。また、「コンピュータシステム」は、ＷＷＷを利用している場合であれば、ホームページ提供環境およびホームページ表示環境も含むものとする。
【０１５２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置、並びに、インターネット等のネットワークや電話回線等の通信回線を介してプログラムを送信する場合の通信線のように、短時間の間、動的にプログラムを保持するものおよびその場合のサーバやクライアントとなるコンピュータシステム内部の揮発性メモリのように、一定時間プログラムを保持しているもののことをいう。また前記プログラムは、前述した機能の一部を実現するためのものであっても良く、さらに前述した機能をコンピュータシステムにすでに記録されているプログラムとの組み合わせで実現できるものであっても良い。
【符号の説明】
【０１５３】
１、１’、１’’：両面表示装置
２ａ、２ｂ：表示部
３：側方保持部
４：上方保持部
５：下方保持部
６：脚部
７、７’、７’’：回路部
８、８’、８’’：センサ部
９：店舗
１１：車道
１２：歩道
１３：建物
７１：方向検出部
７２：表示データ記憶部
７３、７３’、７３’’：制御部
７４：静止検出部
７５：地理データ取得部
８１ａ、８１ｂ：反射型センサ
８２ａ、８２ｂ：人感センサ
８３：ＧＰＳ
８４：電子コンパス
９１：壁面
９２：出入り口
１０１、１０２、１０３、１０４：人
【図１】
2014142399.tif 000003
【図２】
2014142399.tif 000004
【図３】
2014142399.tif 000005
【図４】
2014142399.tif 000006
【図５】
2014142399.tif 000007
【図６】
2014142399.tif 000008
【図７】
2014142399.tif 000009
【図８】
2014142399.tif 000010
【図９】
2014142399.tif 000011
【図１０】
2014142399.tif 000012
【図１１】
2014142399.tif 000013
【図１２】
2014142399.tif 000014
【図１３】
2014142399.tif 000015
【図１４】
2014142399.tif 000016
【図１５】
2014142399.tif 000017
【図１６】
2014142399.tif 000018